(57)【要約】      （修正有）【課題】簡素な構造で可能であるとともに、スノコ状板を持ち上げて折曲った状態と押し下げて平面的な状態になって、スノコ状板面にクッションを敷くことによってベッドとソファーとになるソファーの用途を可能にする木製枠体のベッド兼用ソファーを提供する。【解決手段】座面下後方フレーム部材と座面下前方フレーム部材と肘掛部材４と連結角棒桟材とスノコ部６と手摺状背もたれ部材７をネジ、鉄ダボ、木ダボによって組み立てた木製ソファー形状体において、台座体の後側に手摺状背もたれ板を固着して、両端で折り曲げ可能スノコ状板を持ち上げて折曲った状態と押し下げて平面的な状態になって、スノコ状板面にクッション１４を敷くことによってベッドとソファーとになる木製枠体のベッド兼用ソファーである。【選択図】図１
0003213825.tif 000002
【実用新案登録請求の範囲】
【請求項１】
座面下後方フレーム部材と座面下前方フレーム部材と肘掛部材と連結角棒桟材とスノコ部と手摺状背もたれ部材をネジ、鉄ダボ、木ダボによって組み立てた木製ソファー形状体において、二本の座面下のフレーム部材であって両側に脚体を取り付けた脚付フレーム桟体を４本の連結角桟棒で固着した脚付台座体で組み立て、前記台座体の両端に折り曲げ可能になるように肘掛部材であるスノコ状板盤を台座体のフレーム桟体の各先端部の内側に係着させ、前記台座体の中央空間部にスノコ部を嵌め込み、全体の形状でスノコ状板が両端で折り曲げ可能な状態にして、前記台座体の後側に手摺状背もたれ板を締着して、両端で折り曲げ可能スノコ状板を持ち上げて折曲った状態と  押し下げて平面的な状態になって、スノコ状板面にクッションを敷くことによってベッドとソファーとになることを特徴とする木製枠体のベッド兼用ソファー。
【請求項２】
台座体のフレーム桟体の各先端部の内側に取り付けた肘掛部材であるスノコ状板盤は、肘掛部材であるスノコ状板盤に８０ｋｇまでの重量を掛かけても耐え得るような厚さ６０〜８０ｍｍの硬質木材料にて、先端部で３０〜４０ｍｍの切り込みを設けた固定桟材の構造にして、台座体との屈曲部に鉄ダボを移動できるような３０〜８０ｍｍの長さの細長穴部を穿設して、前記細長穴部を持つスノコ状板盤の引き押しの動作で、平面から傾斜の５０〜９０°の角度に折り曲げられるようになっていることを特徴とする請求項１に記載の木製枠体のベッド兼用ソファー。
【請求項３】
幅６５０〜８５０ｍｍ、長さ２０００〜２５００ｍｍの寸法である木製枠のソファー対応のベッドにおいて、前記の厚さ１００〜３００ｍｍ、幅７００〜９００ｍｍ、長さ５００〜２０００ｍｍの範囲に入る２〜３種類のクッションを、ソファー部と背もたれ部とをそれぞれ２〜５個を所持して、１〜３個をスノコ状板平盤体と１〜２個を手摺状背もたれ部に置かれることを特徴とする請求項１、又は請求項２に記載の木製枠体のベッド兼用ソファー。
【請求項４】
スノコ状板の全面に、布体、又は皮体、又は合成皮革でできたクッションを三区分にして敷いて、平面的な状態でのベッド状になり、スノコ状板盤の両端を折り曲げで、手摺状背もたれ枠板にクッションを立てかけてソファー状にすることができるようになっていることを特徴とする請求項１〜請求項３のいずれかに記載の木製枠体のベッド兼用ソファー。
【考案の詳細な説明】
【技術分野】
【０００１】本考案は、木製の台座体に手摺状背もたれ板を固着して、両端で折り曲げ可能スノコ状板を持ち上げて折曲げ、押し下げて平面になる、スノコ状板面にクッションを敷くことによってベッドとソファーとになる木製枠体のベッド兼用ソファーに関するものである。
【背景技術】
【０００２】周知のとおり、最近では、ソファー本体に対し肘掛けを別部材として作製し、使用目的に応じて両端の肘掛部を着脱できるようにしたソファーが多用されている。【０００３】従来において、このようなソファーに関し、ソファー本体の座台側部にレール部材を装着するとともに、このレール部材に対する引掛け部材を肘掛け側面に取り付け、レール部材上に引掛け部材を載置した状態で止着具により固定することによって、肘掛けを着脱自在とする構造のソファーが提案されている（特許文献１参照）。【０００４】しかしながら、上記従来におけるソファー構造は、複雑な形態のレール部材や引掛け部材等の連結機構を必要としたことから、製造コストが嵩む要因となっていただけでなく、連結機構の故障時には、その修理や部材の取り替えを業者に依頼せねばならない等、使用者にとっても不満な点があった。【０００５】また、従来においては、肘掛け側面に、断面Ｌ字型の差込金具を装着するとともに、この差込金具に対しての受口金具をソファー本体の側面に取り付けて肘掛けを着脱自在にしたソファーも公知となっている（特許文献２参照）。【０００６】上記従来のソファーにおいては、肘掛けをソファー本体から取り外した際に、側面の受口金具が露出してしまい、ソファーの室内装飾性を極めて損なっていた。着座部と、この着座部の一側部にて上方へ立設された背もたれ部とを具備してなるソファにおいて、前記着座部は、その一端部近傍の一部が、リクライニング部とされてなり、該リクライニング部は、他の着座部との連結箇所を中心として回動されて、他の着座部に対して傾斜された状態に支持されてなるソファーが提案されている（特許文献３参照）。【０００７】ベッドとソファを一体化し省スペース化を図りつつ，ベッドからソファーへの変換時に布団を別の場所に移動させずに済む利便性，各素材の選択性、衛生化を可能にするソファー兼用ベッドを提供するために、ベッドの床面部を長さ方向あるいは幅方向に略二分して、一方を固定床面他方を背もたれ兼可動床面とし、略二分した線を基線として起倒可能に配置し、その下にソファーの座部を設けたものが提案されている（特許文献４参照）。【０００８】ベッドのリクライニング可動とソファー変換可動を１個のアクチュエーターにより可能とすることで、構造を簡単にし、重量とコスト高を解決するとともに、扱い易いソファー兼用リクライニングベッドを提供されている（特許文献５参照）。【０００９】主フレームの所定方向一端部の下面に幅方向にわたって設けられ下端部を主フレームの一端から外方へ突出させた第１の脚部材と、主フレームの所定方向の他端部に幅方向にわたって設けられ第１の脚部材とで主フレームをほぼ水平に支持する第２の脚部材と、主フレームの所定方向一端に回動可能に連結された可動フレームと、可動フレームの下面に上端部が回動可能に連結されこの可動フレームを支持フレームと同じ高さでほぼ水平に支持するとともに、可動フレームを所定の角度に起上させたときに上端部を支点として回動させて下端部を第１の脚部材の中途部に係合させることで、可動フレームを所定の起立角度で保持する可動脚部材とを具備しているものが提案されている（特許文献６参照）。【００１０】ソファー兼用ベッドは沢山提案されているが、構造が複雑であって、木製で製作されたものは、ほとんど存在しない。ベッドが主体化、あるいはソファーが主体になるが、構造的に異なるが、ソファーをベッドに変更するものは少ない。一般には両端に置かれている。ソファーで、中間部に肘掛をおいている場合、あるいは好みの位置に付けることができるものはベッドとして有効なものはほとんど存在していない。
【先行技術文献】
【特許文献】
【００１１】
【特許文献１】実用新案登録第３０６８０７９号公報
【特許文献２】特開平１０−２７６８６３号公報
【特許文献３】特開平６−８６７２３号公報
【特許文献４】特開２００３−１３５２１６号公報
【特許文献５】特開２００７−１５１８３８号公報
【特許文献６】特開２００４−４１５１２２号公報
【考案の概要】
【考案が解決しようとする課題】
【００１２】本考案は、この上記の問題に鑑みてなされたものであって、その目的とするところは、木質の香りと雰囲気を持った家具であって、簡素な構造で肘掛けの変更が可能であるとともに、ソファーであり、ベッドであり、用途として簡単に肘掛を倒したりでき、住宅のあらゆる場所で好みの位置に置くことができて、特に部屋の模様によって肘掛部の位置を変更することによって、ソファー全体のデザインが損なわれることなく、ベッドとして充分に耐え得る装飾性肘掛けなソファーを提供することにある。
【課題を解決するための手段】
【００１３】座面下後方フレーム部材と座面下前方フレーム部材と肘掛部材と連結角棒桟材とスノコ部と手摺状背もたれ部材をネジ、鉄ダボ、木ダボによって組み立てた木製ソファー形状体において、二本の座面下のフレーム部材であって両側に脚体を取り付けた脚付フレーム桟体を４本の連結角桟棒で固着した脚付台座体を組み立て、前記台座体の両端に折り曲げ可能になるように肘掛部材であるスノコ状板盤を台座体のフレーム桟体の各先端部の内側に取り付け、前記台座体の中央空間部にスノコ部を嵌め込み、全体の形状でスノコ状板が両端で折り曲げ可能な状態にして、前記台座体の後側に手摺状背もたれ板を固着して、両端で折り曲げ可能スノコ状板を持ち上げて折曲った状態と  押し下げて平面的な状態になって、スノコ状板面にクッションを敷くことによってベッドとソファーとになる木製枠体のベッド兼用ソファーである。【００１４】台座体のフレーム桟体の各先端部の内側に取り付けた肘掛部材であるスノコ状板盤は、肘掛部材であるスノコ状板盤に８０ｋｇまでの重量を掛かけても耐え得るような厚さ６０〜８０ｍｍの硬質木材料にて、先端部で３０〜４０ｍｍの切り込みを設けた固定桟材の構造にして、台座体との屈曲部に鉄ダボを移動できるような３０〜８０ｍｍの長さの細長穴部を穿設して、前記細長穴部を持つスノコ状板盤の引き押しの動作で、平面から傾斜の５０〜９０°の角度に折り曲げられるようになっている。【００１５】幅６５０〜８５０ｍｍ、長さ２０００〜２５００ｍｍの寸法である木製枠のソファー対応のベッドにおいて、前記の厚さ１００〜３００ｍｍ、幅７００〜９００ｍｍ、長さ５００〜２０００ｍｍの範囲に入る２〜３種類のクッションを、ソファー部と背もたれ部とをそれぞれ２〜５個を所持して、１〜３個をスノコ状板平盤体と１〜２個を手摺状背もたれ部に置かれる。【００１６】スノコ状板の全面に、布体、又は皮体、又は合成皮革でできたクッションを三区分にして敷いて、平面的な状態でのベッド状になり、スノコ状板盤の両端を折り曲げで、手摺状背もたれ枠板にクッションを立てかけてソファー状にすることができるようになっている。
【考案の効果】
【００１７】本考案では、木製の枠体にスノコを敷いたものに、クッションを置いて、ソファーとベッドが兼用できるようにして、クッションを肘掛部の側面に、簡単にソファーに座席しながら接続できて、機能性をより高めることができた。それによって、スノコ状板を持ち上げて折曲った状態と  押し下げて平面的な状態になって、スノコ状板面にクッションを敷くことによってベッドとソファーとになるソファーの用途多様性を可能にするとともに、また部屋の模様替え時に、ソファー自体のデザインを変形することも可能になった。【００１８】また、従来の布体、又は皮体、又は合成皮革でできているクッショウが高いソファー部とベッド部になり、肘掛部と背もたれ部とを簡単に操作することで、ソファー本体、ベッド本体になって、肘掛けの有無に拘わらず、ソファーとベッドになって、外観を損なわれることはなく、木製のソファーの室内装飾性を保持することができた。【００１９】木製の部材を簡単に持ち運びできて、木材の味わいと匂いを持ち、ベッド兼用ソファーで、コンパクトに組み立てできるため、ソファー本体及び肘掛けの一部が汚れたり損傷したりした場合に、ソファー部と背もたれ部の洗浄、修理、または、買替えを行うことができる等、非常に便利であることから、実用的利頗用価値は高いものとなった。
【図面の簡単な説明】
【００２０】
【図１】木製枠体のベッド兼用ソファーを表わす全体斜視図である。Ａ：木製枠体ベッド兼用ソファーの本体  Ｂ：クッション付きベッド兼用ソファー
【図２】木製枠体のベッド兼用ソファーに使用される各部材の斜視図である。Ａ：背もたれ部  Ｂ：座面下後方フレーム部  Ｃ：座面下前方フレーム部  Ｄ：連結棒部  Ｅ：肘掛部  Ｆ：スノコ部  Ｇ：クッション背凭れ  Ｉ：クッション座面
【図３】木製枠体のベッド兼用ソファーの本体に部品取り付け状態を表わす斜視図である。Ａ：木製枠体ベッド兼用ソファーの本体に背もたれ取り付け  Ｂ：木製枠体ベッド兼用ソファーの本体にスノコ取り付け
【図４】木製枠体のベッド兼用ソファーにおいて、肘掛部の固定状態を表わす斜視図である。
【図５】木製枠体のベッド兼用ソファーにおいてベットを表わす斜視図である。Ａ：ベッドとしての木製枠体  Ｂ：クッションを敷いてベッド
【図６】木製枠体のベッド兼用ソファーに各クッションを取り外した状態の斜視図である。  Ａ：背もたれクッション取り外し、Ｂ：座面のクッションの取り外し
【考案を実施するための形態】
【００２１】本考案の実施形態を具体的に図示した図１から図５に基づいて更に詳細に説明すると次のとおりである。図中で指示するものは、ソファー本体、ソファー部、肘掛部、背もたれ部である。なお、本実施形態では、座り心地に優しく、所定の座位部の高さでソファー、ベッドとして支持することができるような安定な構造になっている。
【実施例１】
【００２２】図１Ａ，Ｂで示すように、幅７６０ｍｍ、長さ２０５０ｍｍの寸法である木製枠のソファー対応のベッドにおいて、前記の厚さ１５０ｍｍ、幅７００ｍｍ、長さ２０００ｍｍと５００ｍｍの範囲に入る２種類のクッションを、ソファー部と背もたれ部とをそれぞれ３個を所持して、１個をスノコ状板平盤体と１個を手摺状背もたれ部に置かれる木製枠体のベッド兼用ソファーを製作した。【００２３】図２に示すような、各部品である座面下後方フレーム部材と座面下前方フレーム部材と肘掛部材と連結角棒桟材とスノコ部と手摺状背もたれ部材をネジ、鉄ダボ、木ダボによって組み立てた木製ソファー形状体において、二本の座面下のフレーム部材であって両側に脚体を取り付けた脚付フレーム桟体を４本の連結角桟棒で固着した脚付台座体を組み立て、前記台座体の両端に折り曲げ可能になるように肘掛部材であるスノコ状板盤を台座体のフレーム桟体の各先端部の内側に取り付け、前記台座体の中央空間部にスノコ部を嵌め込み、全体の形状でスノコ状板が両端で折り曲げ可能な状態にして、前記台座体の後側に手摺状背もたれ板を固着して、両端で折り曲げ可能スノコ状板を持ち上げて折曲った状態と  押し下げて平面的な状態になって、スノコ状板面に前記のクッションを敷いた。【００２４】図４に示す台座体のフレーム桟体の各先端部の内側に取り付けた肘掛部材であるスノコ状板盤は、図４に示すように肘掛部材であるスノコ状板盤に８０ｋｇまでの重量を掛かけても耐え得るような厚さ７０ｍｍの硬質木材料にて、先端部で３０ｍｍの切り込みを設けた固定桟材の構造にして、台座体との屈曲部に鉄ダボを移動できるような５０ｍｍの長さの細長穴部を穿設して、前記細長穴部を持つスノコ状板盤の引き押しの動作で、平面から傾斜の６０°の角度に折り曲げられるようにした。【００２５】図５，６に示すように、スノコ状板の全面に、布体でできたクッションを三区分にして敷いて、平面的な状態でのベッド状になり、スノコ状板盤の両端を折り曲げで、手摺状背もたれ枠板にクッションを立てかけてソファー状にすることができるようになった。
【実施例２】
【００２６】実施例１と同様に製作して、幅７００ｍｍ、長さ２０００ｍｍの寸法である木製枠のソファー対応のベッドにおいて、前記の厚さ１００ｍｍ、幅７００ｍｍ、長さ１８００ｍｍの範囲に入る３種類のクッションを、ソファー部と背もたれ部とをそれぞれ３個を所持して、１個をスノコ状板平盤体と１個を手摺状背もたれ部に置かれる木製枠体のベッド兼用ソファーを製作した。【００２７】座面下後方フレーム部材と座面下前方フレーム部材と肘掛部材と連結角棒桟材とスノコ部と手摺状背もたれ部材をネジ、鉄ダボ、木ダボによって組み立てた木製ソファー形状体において、二本の座面下のフレーム部材であって両側に脚体を取り付けた脚付フレーム桟体を４本の連結角桟棒で固着した脚付台座体を組み立て、前記台座体の両端に折り曲げ可能になるように肘掛部材であるスノコ状板盤を台座体のフレーム桟体の各先端部の内側に取り付け、前記台座体の中央空間部にスノコ部を嵌め込み、全体の形状でスノコ状板が両端で折り曲げ可能な状態にして、前記台座体の後側に手摺状背もたれ板を固着して、両端で折り曲げ可能スノコ状板を持ち上げて折曲った状態と  押し下げて平面的な状態になって、スノコ状板面にクッションを敷いた。【００２８】台座体のフレーム桟体の各先端部の内側に取り付けた肘掛部材であるスノコ状板盤は、肘掛部材であるスノコ状板盤に８０ｋｇまでの重量を掛かけても耐え得るような厚さ６０ｍｍの硬質木材料にて、先端部で４０ｍｍの切り込みを設けた固定桟材の構造にして、台座体との屈曲部に鉄ダボを移動できるような３０〜８０ｍｍの長さの細長穴部を穿設して、前記細長穴部を持つスノコ状板盤の引き押しの動作で、平面から傾斜の９０°の角度に折り曲げられるようにした。【００２９】スノコ状板の全面に、合成皮革でできたクッションを三区分にして敷いて、平面的な状態でのベッド状になり、スノコ状板盤の両端を折り曲げで、手摺状背もたれ枠板にクッションを立てかけてソファー状にすることができるようになった。
【実施例３】
【００３０】実施例１と同様に製作して、幅７５０ｍｍ、長さ２３００ｍｍの寸法である木製枠のソファー対応のベッドにおいて、前記の厚さ２００ｍｍ、幅７５０ｍｍ、長さ２２００ｍｍの範囲に入る３種類のクッションを、ソファー部と背もたれ部とをそれぞれ４個を所持して、２個をスノコ状板平盤体と１個を手摺状背もたれ部に置かれる木製枠体のベッド兼用ソファーを製作した。【００３１】座面下後方フレーム部材と座面下前方フレーム部材と肘掛部材と連結角棒桟材とスノコ部と手摺状背もたれ部材をネジ、鉄ダボ、木ダボによって組み立てた木製ソファー形状体において、二本の座面下のフレーム部材であって両側に脚体を取り付けた脚付フレーム桟体を４本の連結角桟棒で固着した脚付台座体を組み立て、前記台座体の両端に折り曲げ可能になるように肘掛部材であるスノコ状板盤を台座体のフレーム桟体の各先端部の内側に取り付け、前記台座体の中央空間部にスノコ部を嵌め込み、全体の形状でスノコ状板が両端で折り曲げ可能な状態にして、前記台座体の後側に手摺状背もたれ板を固着して、両端で折り曲げ可能スノコ状板を持ち上げて折曲った状態と  押し下げて平面的な状態になって、スノコ状板面にクッションを敷いた。【００３２】台座体のフレーム桟体の各先端部の内側に取り付けた肘掛部材であるスノコ状板盤は、肘掛部材であるスノコ状板盤に８０ｋｇまでの重量を掛かけても耐え得るような厚さ６０〜８０ｍｍの硬質木材料にて、先端部で３０〜４０ｍｍの切り込みを設けた固定桟材の構造にして、台座体との屈曲部に鉄ダボを移動できるような５０ｍｍの長さの細長穴部を穿設して、前記細長穴部を持つスノコ状板盤の引き押しの動作で、平面から傾斜の８０°の角度に折り曲げられるようにした。【００３３】スノコ状板の全面に、布体でできたクッションを三区分にして敷いて、平面的な状態でのベッド状になり、スノコ状板盤の両端を折り曲げで、手摺状背もたれ枠板にクッションを立てかけてソファー状にすることができるようになった。【００３４】最近では、ソファー形態のフレキシブル性が重要視され、形状や機能が異なる肘掛けを使用者が選択することにより、多様なデザインや用途に対応できるソファーが望まれている。ところが、従来における肘掛けの着脱変更構造は、複雑なものばかりで、製造業者及び使用者共に満足できるものではなかった。しかも、肘掛けの変更によってソファーからベッドに変わり、室内装飾性が損なわれてしまうものも多く、このことは、現状におけるソファーとベッド用途においての装飾的価値観を簡単に変更できるようになった。
【符号の説明】
【００３５】１  ソファー本体
２  座面下後方フレーム部材
３  座面下前方フレーム部材
４  肘掛部材部
５  連結角棒桟材
６  スノコ部
７  背もたれ部材（手摺状）
８  ネジ、鉄ダボ、木ダボ
９  台座体
１０  脚
１１  クッション（背もたれ用）
１２  木質桟材
１３  枠体
１４  クッション（座面ベッド用）
【図１】
0003213825.tif 000003
【図２】
0003213825.tif 000004
【図３】
0003213825.tif 000005
【図４】
0003213825.tif 000006
【図５】
0003213825.tif 000007
【図６】
0003213825.tif 000008
【手続補正書】
【提出日】平成29年9月15日(2017.9.15)
【手続補正１】
【補正対象書類名】実用新案登録請求の範囲
【補正対象項目名】請求項３
【補正方法】変更
【補正の内容】
【請求項３】
幅６５０〜８５０ｍｍ、長さ２０００〜２５００ｍｍの寸法である木製枠のソファー対応のベッドにおいて、厚さ１００〜３００ｍｍ、幅７００〜９００ｍｍ、長さ５００〜２０００ｍｍの範囲に入る２〜３種類のクッションを、ソファー部と背もたれ部とをそれぞれ２〜５個を所持して、１〜３個をスノコ状板平盤体と１〜２個を手摺状背もたれ部に置かれることを特徴とする請求項１、又は請求項２に記載の木製枠体のベッド兼用ソファー。